(57)【特許請求の範囲】
【請求項１】
編機の針床（１００）の針溝（１１０）に設けられる編成部材（１２０）用の選針板であって、選針板（３０，５０，９０）が針床（１００）の針溝（１１０）内に長手方向に移動可能に設けられ、接極子面（３３，５３）に編機の選針システム（１５０）の磁石（１６０）の作用を受けることができ、選針板（３０，５０，９０）が、針溝（１１０）の針底（１７０）に対してほぼ直角に向けられかつ接極子面（３３，５３）から突出しない前進面（３４，５４）を持ち、前進面（３４，５４）が接極子面（３３，５３）に隣接して選針板（３０，５０，９０）の終端部分（３１，５１，９１）に設けられ、終端部分（３１，５１，９１）が選針板（３０，５０，９０）の剛性縦橋絡片（３６，５６，９６）に設けられ、選針板（３０，５０，９０）がばね素子（３２，５２，９２）の力に抗して揺動可能に針溝（１１０）内に設けられることができ、前進面（３４，５４）において選針板（３０，５０，９０）が、針溝（１１０）内で前進のため駆動素子の作用を受けることができるものにおいて、選針板が選針システム（１５０）の磁石（１６０）によりその接極子面（５３）に保持される時、選針板が針溝（１１０）内におけるその軸線方向位置に拘束可能であることを特徴とする選針板。
【請求項２】
選針板が切欠き（５７，９７）を持ち、選針板（５０，９０）の接極子面（５３）が選針システム（１５０）の磁石（１６０）へ向かって揺動する時、針床（１００）に設けられる拘束素子（１８０）が切欠きへ導入可能であることを特徴とする、請求項１に記載の選針板。
【請求項３】
切欠き（５７，９７）が、針溝（１１０）の長手方向における選針板（５０，９０）の行程限界を形成していることを特徴とする、請求項２に記載の選針板。
【請求項４】
拘束素子（１８０）が、選針磁石（１６０）の範囲で針床（１００）に沿って針溝（１１０）を通って横に導かれる線であることを特徴とする、請求項２又は３に記載の選針板。
【請求項５】
針溝（１１０）に挿入される選針板（３０，５０）の接極子面（３３，５３）が針床上側の方向へ向いていることを特徴とする、請求項１〜４の１つに記載の選針板。
【発明の詳細な説明】
【技術分野】
【０００１】  本発明は、編機の針床の針溝に設けられる編成部材用の選針板であって、選針板が針床の針溝内に長手方向に移動可能に設けられ、接極子面に編機の選針システムの磁石の作用を受けることができるものに関する。
【背景技術】
【０００２】  このような選針板は例えば欧州特許出願公開第１２７５７６２号明細書から公知である。公知の選針板は針溝に揺動可能に設けられ、選針の場合選針システムの磁石から釈放され、ばね力により選針位置へ揺動せしめられる。続いて選針板は、その駆動バットを、カム曲線により針溝内で前進せしめられる。選針板の前進の際付加的な針床挿入部分が係合せしめられる。【０００３】  この選針板は、垂直な駆動バットのため、比較的大きい長さを持っている。更に編成システムに、選針板の前進及び後退運動のためそれぞれ１つのカム曲線を設けねばならず、それによりカム製造のための費用が増大する。
【発明の概要】
【発明が解決しようとする課題】
【０００４】  本発明の基礎となっている課題は、短い全長の選針板及び簡単なカム構造を可能にする簡単な構造を提供することである。
【課題を解決するための手段】
【０００５】  この課題は、最初にあげた種類の選針板において、請求項１の特徴によって解決される。【０００６】  本発明による選針板は、前進のために、上方へ突出する駆動バットを必要としない。従って選針板の前進は、カム曲線によって行う必要がない。選針板は、選針の場合前進面に作用する駆動素子により針溝内を前方へ動かされる。例えば編針を直接に又は中間素子を介して間接に、編成システムのカム曲線に係合させることができる。【０００７】  好ましい実施形態では、前進面が選針板の後部終端面を形成している。その場合前進面は、針溝の長手方向に作用する前進用駆動素子の作用を受ける。【０００８】  更に前進面が接極子面に隣接して選針板の終端部分に設けられていると有利である。この手段により、選針板の全長を更に小さくすることができる。【０００９】  その際終端部分が、限られた範囲で揺動可能に選針板に設けられているようにすることができる。従って選針しない場合終端部分を選針システムの磁石へ向かって揺動させ、選針する場合磁石から離れるように揺動させることができる。【００１０】  選針の場合磁石からの接極子面の確実な釈放を保証するため、更に終端部分が選針板の弾性部分に設けられていると有利である。選針しない場合終端部分が、磁石によりばね力に抗して吸引される。選針の場合弾性部分が終端部分を磁石から離すので、前進面が駆動素子の作用を受けることができる。【００１１】  しかし終端部分が選針板の剛性縦橋絡片に設けられ、選針板がばね素子の力に抗して揺動可能に針溝内に設けられることもできる。ばね素子を除いて曲げ剛性を持つように構成される選針板は、この構成では、全体として選針システムの磁石の方へかつこれから離れるように揺動する。選針位置への運動は、選針システムの磁石が選針板を釈放すると、再びばね素子によって行われる。その際ばね素子がなるべく選針板と共に１つの部分から構成されており、それにより選針板の構造が簡単になり、従って製造費が少なくなる。【００１２】  選針板が、終端部分の揺動運動を限定するストッパを持っていることによって、別の利点が得られる。それにより選針板の終端位置が正確に規定される。【００１３】  選針板が編成部材又は中間素子に作用する前部ストッパ面を持っていると、有利である。選針板が前進せしめられると、そのストッパ面により前進運動を編成部材へ伝達することができる。【００１４】  編成部材がカム曲線により針溝内を後方へ動かされる時、選針板の初期位置への戻り運動が編成部材を介して行われるか、又は後方へ向く直線運動を導入するため針床から突出する少なくとも１つの操作バットを介して行われる。【００１５】  別の好ましい実施形態では、選針板が選針システムの磁石によりその接極子面に保持される時、選針板が針溝内におけるその軸線方向位置に拘束可能である。磁石からの釈放後、選針板が針溝の後部範囲で所定の軸線方向位置をとるので、選針板はその前進面で駆動素子の作用を受けることができる。【００１６】  この軸線方向固定のため、選針板が切欠きを持ち、選針板の接極子面が選針システムの磁石へ向かって揺動する時、針床に設けられる拘束素子が切欠きへ導入可能である。拘束素子を構成するため、種々の可能性が考えられる。特に安価な解決策は、拘束素子が、選針磁石の範囲で針床に沿って針溝を通って横に導かれる線として構成されることである。その場合針床のすべての選針板に対してただ１つの拘束素子を設けさえすればよい。【００１７】  選針システムが針床の上に設けられているか、又は下に設けられているかに応じて、針溝に挿入される選針板の接極子面が針床上側の方向へ向いているか又は針床下側の方向へ向いており、それにより支持面を選針システムの磁石により保持することができる。【００１８】  本発明による選針板の好ましい実施例が図面により以下に説明される。
【図面の簡単な説明】
【００１９】
【図１ａ】  第１の選針板を持つ針溝の範囲における針床の断面図を第１の状態で示す。
【図１ｂ】  第１の選針板を持つ針溝の範囲における針床の断面図を第２の状態で示す。
【図１ｃ】  第１の選針板を持つ針溝の範囲における針床の断面図を第３の状態で示す。
【図１ｄ】  第１の選針板を持つ針溝の範囲における針床の断面図を第４の状態で示す。
【図１ｅ】  第１の選針板を持つ針溝の範囲における針床の断面図を第５の状態で示す。
【図２】  第２の選針板を持つ針溝の範囲における針床の断面図を示す。
【図３ａ】  第３の選針板を持つ針溝の範囲における針床の断面図を第１の状態で示す。
【図３ｂ】  第３の選針板を持つ針溝の範囲における針床の断面図を第２の状態で示す。
【図３ｃ】  第３の選針板を持つ針溝の範囲における針床の断面図を第３の状態で示す。
【図３ｄ】  第３の選針板を持つ針溝の範囲における針床の断面図を第４の状態で示す。
【図３ｅ】  第３の選針板を持つ針溝の範囲における針床の断面図を第５の状態で示す。
【図４】  第４の選針板を持つ針溝の範囲における針床の断面図を示す。
【図５ａ】  軸線方向拘束部を有する第５の選針板を持つ針溝の範囲における針床の断面図を第１の状態で示す。
【図５ｂ】  軸線方向拘束部を有する第５の選針板を持つ針溝の範囲における針床の断面図を第２の状態で示す。
【図６ａ】  軸線方向拘束部を有する第６の選針板を持つ針溝の範囲における針床の断面図を第１の状態で示す。
【図６ｂ】  軸線方向拘束部を有する第６の選針板を持つ針溝の範囲における針床の断面図を第２の状態で示す。
【図７ａ】  第６の選針板を持つ針溝の範囲における針床の断面図を第１の状態で示す。
【図７ｂ】  第６の選針板を持つ針溝の範囲における針床の断面図を第２の状態で示す。
【図８ａ】  下に設けられる選針システム用の第８の選針板を持つ針溝の範囲における針床を第１の状態で示す。
【図８ｂ】  下に設けられる選針システム用の第８の選針板を持つ針溝の範囲における針床を第２の状態で示す。
【図９ａ】  軸線方向拘束部及び編成機構のかみ合い結合部を有する第９の選針板を持つ針溝の範囲における針床の断面図を第１の状態で示す。
【図９ｂ】  軸線方向拘束部及び編成機構のかみ合い結合部を有する第９の選針板を持つ針溝の範囲における針床の断面図を第２の状態で示す。
【発明を実施するための形態】
【００２０】  すべての図は、針溝１１０の範囲における針床１００の断面図を示し、選択すべき編成部材１２０として編針が針溝１１０へ挿入されている。編針１２０は駆動バット１３０を持ち、針溝１１０内の編針１２０を長手方向に動かすことができるようにするため、駆動バット１３０が編成システムの図示しないカム曲線の作用を受けることができる。編針１２０は更に、その長手方向にそれぞれの選針板の作用を受けることができる終端部分１４０を持っている。すべての図は、それぞれの選針板のための磁石１６０を持つ選針システム１５０を示す。
【００２１】  図１ａ〜１ｂに示す第１の選針板１０は、選針板１０の弾性部分１２に支持される終端部分１１を持っている。終端部分１１の上側には、図１ｂに示すように磁石１６０の作用を受ける接極子面１３が設けられている。接極子面１３に隣接して、終端部分１１にある前進面１４が後部終端面として設けられている。この前進面は針溝１１０内で選針板１０の前進に役立つ。前進面１４は、針床１００の針底１７０に対してほぼ直角に向けられている。選針板１０は更にその前方端部にストッパ面１５を持ち、編針１２０の終端部分１４０がこのストッパ面の作用を受ける。
【００２２】  終端部分１１が矢印方向１６に上昇せしめられると、図１ｂに示すように、接極子面１３が磁石１６０により弾性部分１２の力に抗して選針システム１５０に吸着保持される。選針の場合磁石１６０が終端部分１１を釈放し、弾性部分１２により終端部分１１が選針システム１５０から離され、針底１７０に載る。この位置で終端部分１１は、ここには示されてない駆動素子により、矢印方向１７へ針溝１１０の長手方向に押され、それにより選針板１０が、またストッパ面１５を介して編針１２０も、針溝１１０内を前方へ動かされる。それにより編針１２０の駆動バット１３０が、図１ｃに示すようにカムに係合せしめられる。
【００２３】  続いて選針板１０がその位置にとどまり、編針１２０の駆動バット１３０が図１ｄに示すようにカム曲線を通過する。
【００２４】  図１ｅは後退運動中の編針１２０を示し、編針が選針板１０を図１ａに示す初期位置へ後退させる。後退運動は矢印方向１８に駆動バット１３０力により行われる。
【００２５】  図２は図１の選針板１０とほぼ同じように構成される選針板２０の別の構成を示し、選針板２０は後退運動のために操作バット２１を持ち、それにより選針板２０がその初期位置へ戻され、編針１２０が前進運動も行う。
【００２６】  図３ａ〜３ｅは、異なる動作位置にありかつ編針１２０と共同作用する第３の選針板３０を示す。選針板３０も、接極子面３３及び前進面３４を備えた終端部分３１を持っている。しかしここでは終端部分３１は、編針１２０に作用するためのストッパ面３５を前方端部に持つ剛性橋絡片３６に支持されている。選針板３０は更に橋絡片３６に取付けられるばね素子３２を備え、ばね素子３２の自由端を針床の覆い条片３７に支持される終端部分３１〜矢印方向３８に力が及ぼされると、選針板３０は選針システムの磁石１６０により接極子面３３で保持される。図３ｂに示すように、橋絡片３６はばね素子３２の力に抗して揺動する。
【００２７】  図３ｃは、終端部分３１がばね素子３２により磁石１６０から離され、選針板３０が前進面３４へ矢印方向３９に前進せしめられることを示す。この前進運動の際選針板３０が編針１２０を連行し、その駆動バット１３０をカム曲線に係合させる。続いて図３ｄに示すように、選針板３０はその位置に留まり、編針１２０はカム曲線を通る。編針１２０の後退運動により、選針板３０も再び図３ａに示す初期位置へ押し戻され、これが図３ｅに示されている。
【００２８】  図４に示される別の選針板４０は、構造において選針板３０に大幅に一致しているが、選針板４０を初期位置へ後退運動させるためのバット４１をもっている。それにより選針板４０は初期位置へもどされるが、編針はまだカム曲線を通る。
【００２９】  図５ａ，５ｂに示す別の選針板５０は、同様に選針板３０によく類似しており、再び接極子面５３及び前進面５４を有する終端部分５１を持ち、終端部分５１はばね素子５２の力に抗して揺動可能に橋絡片５６に支持されている。しかし終端部分３１とは異なり、終端部分５１は切欠き５７を持ち、図５ｂに示すように、終端部分５１が力５８により上方へ磁石１６０に向かって押されると、軸線方向拘束素子１８０、ここでは針床１００の長手方向に延びる線が、切欠き５７へ導入される。この位置で線１８０が、選針板５０を軸線方向に拘束する。選針の場合切欠き５７の面５９が、針溝の長手方向における選針板５０の限界を形成して、図５ａに示すように、図示してない駆動素子による前進面５４の確実な捕捉を保証する。
【００３０】  図６ａは、軸線方向拘束部を持つ別の選針板６０を示す、選針板６０は図１の選針板１０と同じように構成され、弾性部分６２に支持される終端部分６１を持ち、この終端部分６１が再び拘束素子としての線１８０を受入れる切欠き６７を備えている。終端部分６１が矢印方向６８に磁石１６０へ向かって動かされると、線１８０が切欠き６７へはまり、それにより図６ｂに示すように選針板６０を針溝の縦方向に拘束する。
【００３１】  図７ａ，７ｂは、図１の選針板１０と同じように構成される別の選針板７０を示す。選針板７０は、接極子面７３及び前進面７４を備えかつ選針板７０の弾性部分７２に支持される終端部分７１を持っている。弾性部分７２の揺動行程を限定するため、選針板７０の曲げ剛性を持つように構成される２つの脚辺７５，７６に、それぞれストッパ７７，７８が設けられている。図７ａでは弾性部分７２がストッパ７８に当たり、図７ｂに示すように磁石１６０により保持される終端部分７１の上昇位置では、弾性部分７２がストッパ７７に当たっている。前進面７４に前進力が作用する際、弾性部分７２が折れるのを確実に防止するため、ストッパ７７，７８が弾性部分７２の限定及び支持に役立つ。
【００３２】  図８ａ，８ｂは、針床１００′の下に設けられて選針磁石１６０′を持つ選針システム１５０′を有する針床１００′の断面図を示す。このような針床１００′に適した選針板８０は、図８ａによれば終端部分８１を持ち、この終端部分８１を支持する弾性部分８２のばね力により、終端部分８１が針床１００′の覆い条片１１５′へ押付けられる。矢印方向８７へ終端部分８１を押し下げることにより、終端部分８１が、磁石１６０′により弾性部分８２の力に抗して非選針位置に保持される。
【００３３】  最後に図９ａ，９ｂは、継ぎ手９８を介して編針１２０′にはまり合いで結合されている選針板９０を示す。選針板９０の終端部分９１は切欠き９７を持ち、橋絡片９６に支持される終端部分９１が、弾性素子９２の力に抗して図９ｂに示すように上方へ揺動されると、線の形の軸線方向拘束素子１８０が切欠き９７へ導入される。この位置で終端部分９１が磁石１６０により保持される。
【図１ａ】
0005588391.tif 000002
【図１ｂ】
0005588391.tif 000003
【図１ｃ】
0005588391.tif 000004
【図１ｄ】
0005588391.tif 000005
【図１ｅ】
0005588391.tif 000006
【図２】
0005588391.tif 000007
【図３ａ】
0005588391.tif 000008
【図３ｂ】
0005588391.tif 000009
【図３ｃ】
0005588391.tif 000010
【図３ｄ】
0005588391.tif 000011
【図３ｅ】
0005588391.tif 000012
【図４】
0005588391.tif 000013
【図５ａ】
0005588391.tif 000014
【図５ｂ】
0005588391.tif 000015
【図６ａ】
0005588391.tif 000016
【図６ｂ】
0005588391.tif 000017
【図７ａ】
0005588391.tif 000018
【図７ｂ】
0005588391.tif 000019
【図８ａ】
0005588391.tif 000020
【図８ｂ】
0005588391.tif 000021
【図９ａ】
0005588391.tif 000022
【図９ｂ】
0005588391.tif 000023